(57)【要約】【課題】  炊飯器では、蓋のヒンジ構造部分をヒンジカバーによって覆い隠していた。ヒンジカバーを省略してコストダウンを図るとともに、外観的に優れた構造を実現する。【解決手段】  本体１背面上部に外表面から内方に窪んだ凹部15を形成し、この凹部15に蓋３を支持するためのヒンジ構造を配置する炊飯器において、蓋３は蓋リング８とその上面を覆う蓋本体９構成し、蓋リング８をヒンジ構造のヒンジ軸16に軸支させたのちに、蓋リング８に蓋本体９を装着する。蓋本体９には、その背部にヒンジ構造の凹部15を覆うカバー片19を突出形成しておき、このカバー片19によってヒンジ構造部分を覆う。ヒンジ構造を配置する凹部15内には、蓋の開閉に伴って回動するカバー片回動軌跡上に構造部品が位置しないようにしておく。そして、蓋３を組立てるには、蓋リング８をヒンジ軸16に軸支させた後、蓋リング８に対して蓋本体９を装着する。【選択図】  図１
2005143667.tif 000002
【特許請求の範囲】
【請求項１】
本体背面上部に外表面から内方に窪んだ凹部を形成し、該凹部に蓋を支持するためのヒンジ構造を配置する炊飯器において、蓋を蓋リングとその上面を覆う蓋本体で構成し、蓋リングをヒンジ構造のヒンジ軸に軸支させるとともに、前記ヒンジ構造の凹部を覆うカバー片を背部に突出形成した蓋本体を蓋リングに装着したことを特徴とする炊飯器。
【請求項２】
ヒンジ構造のヒンジ軸の支持金具を本体背面丈夫に形成した凹部の内奥に配置し、凹部の内奥に配置した支持金具の主体部からヒンジ軸支持片を背面側に突出させ、蓋の開閉に伴うカバー片の回動軌跡上にヒンジ構造が突出しないようにしたことを特徴とする請求項１記載の炊飯器。
【請求項３】
本体背面上部に外表面から内方に窪んだ凹部を形成し、該凹部に蓋を支持するためのヒンジ構造を配置する炊飯器において、蓋を蓋リングとその上面を覆う蓋本体で構成し、蓋リングをヒンジ構造のヒンジ軸に軸支させてヒンジ構造を組立てた後に、本体背面上部に形成した凹部を覆うカバー片を突出させた蓋本体を蓋リングに装着することを特徴とする炊飯器の組立て方法。
【発明の詳細な説明】
【技術分野】
【０００１】
この発明は、炊飯器の蓋構造に関するものであって、特に本体と蓋とのヒンジ部分の新規な構造に関する発明であるとともに、前記、新規なヒンジ構造を実現するための組立て方法に関する発明である。
【背景技術】
【０００２】
炊飯器では一般的な構造として、本体背部において軸支した開閉自在の蓋によって本体上面を覆うようにしている。このヒンジ構造は、ある程度重量のある蓋の長期間の開閉使用に耐えることができるように頑丈な構造にしておく必要がある。そのため、従来から蓋ヒンジ機構は、本体もしくは本体の上端に装着した肩部材(以下単に本体という)の背面上部に、外表面から内方に窪んだ凹部を形成し、この凹部に金属製のヒンジ金具を固定し、固定したヒンジ金具に蓋の背部を軸支させていた。炊飯器の蓋は、具体的には蓋の底面を形成する蓋リングと、該蓋リングの上面を覆う殻状の蓋本体を組立てた状態で炊飯器の蓋として扱っている。
【０００３】
上記、従来構造の炊飯器では、ヒンジ構造部分が露出することになるため、特許文献１や特許文献２に開示されているように、ヒンジ構造部分を覆い隠すためのヒンジカバーを装着している。このヒンジカバーは、ヒンジ構造部分を隠すことを主目的とするものであって、蓋(蓋セット)をヒンジ構造部分に組立てた後に改めて取り付けている。
【特許文献１】特開２００１−３２７４０１号公報
【特許文献２】特開平１１−５６６１４号公報
【発明の開示】
【発明が解決しようとする課題】
【０００４】
従来の炊飯器のヒンジ構造では、ヒンジ構造部分を覆い隠すことを主目的とする別部品であるヒンジカバーを必要とするとともに、その組立て工数が必要であり、その分コストアップにつながっていた。このような従来技術の欠点に鑑み、本発明は、従来必要としたヒンジカバーを不用とし、かつヒンジ構造部分が露出しない構造を提供するとともに、該構造を実現するための簡単な組立て方法を提供することを目的とするものである。
【課題を解決するための手段】
【０００５】
本発明は、本体１背面上部に外表面から内方に窪んだ凹部15を形成し、この凹部15に蓋を支持するためのヒンジ構造を配置する炊飯器に関するものである。請求項１記載の本発明は蓋３を、底面となる蓋リング８とその上面を覆う蓋本体９で構成し、蓋リング８をヒンジ構造のヒンジ軸16に軸支させる。そして、背部をヒンジ軸16によって軸支された蓋リング８に、蓋リング８の上面を覆う蓋本体９を装着する。蓋本体９には、本体１背面上部に形成した凹部15を覆うカバー片19を突出させておく。これにより、蓋本体９を装着することによってヒンジ構造部分が覆い隠される。
【０００６】
請求項２記載の発明は、上記請求項１記載の発明において、ヒンジ構造の支持金具17を凹部15の内奥に配置し、支持金具17の主体部21から、ヒンジ軸支持片20，20を背面側に突出する形状とするものである。これによって、蓋開閉に伴うカバー片19の回動転軌跡上にヒンジ構造が突出しない形状とする。
【０００７】
請求項３記載の発明は、上記請求項１及び２記載の発明を実現する組立て方法を提供するものである。すなわち、本体１背面上部に外表面から内方に窪んだ凹部15を形成し、該凹部15に蓋３を支持するためのヒンジ構造を配置する炊飯器において、蓋３を蓋リング８とその上面を覆う蓋本体９で構成し、蓋リング８をヒンジ構造のヒンジ軸に軸支させてヒンジ構造を組立てた後に、蓋リング８に対して本体１背面上部に形成した凹部15を覆うカバー片19を突出させた蓋本体９を装着する炊飯器の蓋の組立て方法である。
【発明の効果】
【０００８】
請求項１記載の本発明によれば、蓋２そのもの、具体的には蓋本体９にカバー片19を突出させ、このカバー片19によって本体１背面上部に形成した凹部15を覆い隠すことができるため、従来必要としたヒンジカバーを不用とし、部品点数を減じることによってコストダウンをはかることができる効果がある。
【０００９】
請求項２記載の発明によれば、上記請求項１記載の発明において、ヒンジ構造の支持金具17を、前側すなわち凹部15の内奥に配置し、支持金具17からヒンジ軸支持片20を背面側に突出させる形状であるから、蓋２の開閉に伴うカバー片19の回動転軌跡上にヒンジ構造が突出しない形状とすることができる。
【００１０】
請求項３記載の発明は、蓋リング８を先にヒンジ構造に組立て、その後にカバー片19を突出させた蓋本体９を蓋リング８に装着することによって、蓋リング８の上面を覆うとともにカバー片19によって凹部15を覆う構造の炊飯器を組立て、請求項１及び請求項２記載の発明を容易に実施することができる効果を有するものである。
【発明を実施するための最良の形態】
【００１１】
以下、本発明に係る炊飯器の実施形態を、添付の図面に基づいて説明する。
図１は、本発明を実施する炊飯器全体の縦断面図、図２及び図３は蓋のヒンジ構造部分のみの斜視図であって、図２は蓋本体を除いた状態、図３は蓋本体を装着した状態の斜視図である。
【００１２】
この炊飯器は、本体１の内部に釜２を収容し、本体１内部に収容した釜の上面を、本体１背部に軸支した開閉自在の蓋３で覆うものである。本体１は、側面を形成する胴４と、底面を形成する底体５及び本体上面を形成する肩体６で構成し、それぞれ合成樹脂材で成型する。本体１には、肩体６の中心部に穿設した大きな貫通孔に連続させて釜収容部７を形成し、釜収容部７に収容した釜２は、ヒータや電磁誘導加熱などの加熱手段によって加熱することができる。
【００１３】
本体１背部に軸支される蓋３は、蓋３の底面を形成する蓋リング８とその上面を覆う蓋本体９で構成する。蓋リング８には、釜２とのシール手段を設けるとともに、蒸気通路10を設けることによって釜２を加熱して炊飯の調理を行うことができるものである。図示実施形態の炊飯器では、蓋リング８の底面に蓋ヒータ11によって加熱される加熱板12を設け、この加熱板12に接触する態様で放熱板13を蓋リング８に対して着脱自在に設け、放熱板13に装着したパッキン14を釜２の上端に密接させている。これにより、炊飯時に発生する蒸気は、放熱板13と加熱板12と蓋リング８及び蓋本体９を連通するように形成した蒸気通路10から器外に放出されるとともに、蓋ヒータ11の熱が放熱板13に伝わって補助的な加熱を行う。これにより、蓋内面の結露を防止することができるものである。
【００１４】
本体１の背部には、蓋３のヒンジ構造が形成されている。すなわち、図２に示すように、肩体６背部に内側に窪ませた凹部15を形成するとともに、胴４の前記凹部15に接する部分をＵ字状に切除することによって、凹部15が露出する状態としている。器外に露出する態様である凹部15において、蓋３は本体１に対してヒンジ軸16によって開閉自在に軸支され、ヒンジバネ18によって常時開蓋方向に付勢されている。蓋３を開蓋方向に付勢することは、炊飯器の一般的な態様である。
【００１５】
蓋３を本体１に軸支するには、前記本体１背部に形成した凹部15内において、肩体６に金属製の支持金具17をビス止めその他の固定手段によって固定し、該肩体６に固定した支持金具17に、蓋３の背部をヒンジ軸16によって装着する。すなわち、蓋リング８の背部には図６に示すように、一定間隔を隔てて一対のヒンジ軸支持部8a，8bを突出形成し、該ヒンジ軸支持部8a，8b部分でヒンジ軸16の両端を支持させている。また、ヒンジ軸16には蓋リング８と肩体６の間に作用するヒンジバネ18，18を装着し、蓋３を常時開放する方向に付勢させてある。
【００１６】
上記、本体１に蓋リング８を組立てた状態では、図２に示すように蓋２の上面に蓋リング８の上面が露出した状態であるとともに、本体１背部のヒンジ構造部分も露出している状態である。本発明では、このように蓋リング８を本体１に軸支させた状態で、蓋リング８に対して蓋本体９を装着する。図３や図８から理解されるように、蓋本体９の背部には、凹部15を覆うことができる形状である舌片状のカバー片19を突出形成してある。したがって、蓋リング８に蓋本体９を装着することによって、蓋リング８の上面を覆うとともに、本体１背部の凹部15内にあるヒンジ構造部分を、外部から見えないように覆うことができる。
【００１７】
本体１背部に形成する凹部15は、ヒンジ構造を配置することができる範囲で小さなものとすることによって、蓋本体９の背部に形成するカバー片19も小さなものとすることができる。そして、凹部15は、蓋３の開閉に伴うカバー片19の回動を許容する奥行きを有するものとする。これにより、蓋を開けたときに図１に拡大表示するように、カバー片19が凹部15内に入り込み、蓋３を自由に開閉することができる。例えば、ステイ形状に形成したヒンジ軸の支持金具を配置する場合は、支持金具のステイ部分が通過する厚みのスリットをカバー片19に形成することによって開閉可能である。
【００１８】
しかしながら、カバー片19の回動軌跡上にヒンジ構造部材が位置しないようにすれば、カバー片19にスリットなどの切り込みを形成する必要がなく、外観的に優れたものとすることができる。図示実施形態では、図７に示すように支持金具17の形状を工夫することによって、カバー片19の回動に支障を生じないものとしている。図７に示す支持金具17は、平板状の金属板をＬ字状に折曲し、垂直壁である主体部21を凹部の内奥に位置させ、底面部22を本体の肩体６にビス止めさせるとともに、主体部21の左右両側縁からヒンジ軸支持片20，20を前方に突出させ、このヒンジ軸支持片20，20を突出させている。この構造により、カバー片19は何の支障もなく凹部内に回動する。
【００１９】
蓋３は、蓋リング８と蓋本体９を組立てた状態で本体１に軸支させるものであってもよいが、本発明ではカバー片19によって凹部15が覆われるため、組立て作業が困難になる。そこで、蓋リング８を本体１に軸支させた状態で、蓋リング８に対して蓋板９を装着することによって上記問題を解決することができる。
【００２０】
本体１に軸着されている蓋リング８に対して、蓋本体９を装着することができるようにするには、図６に示すように、蓋リング８の外周縁部分に適当な間隔を隔てて複数の爪23，23を突出させるとともに、図８に示すように、殻状に形成する蓋本体９の開放端内周縁部分に、前記蓋リング８の外周縁部分に形成した爪23，ニ３が係合する係合孔24，24を形成する。係合孔24は、蓋本体９の開放端から少し上方の内壁面に、肉厚の範囲で盲孔として形成する。これによって、本体１に軸支された状態の蓋リング８に対し、上方から押圧することによって容易に組立てることができる。すなわち、蓋リング８に対して殻状の蓋本体９を上方から押圧すると、蓋本体９は弾性変形によって少し広がって蓋リングが蓋本体の内面に押し込まれ、蓋リング８の爪23が蓋本体９の係合孔24の位置に達すると、図５に示すように爪23が係合孔24内に嵌り込む。このようにして、蓋リング８と蓋本体９は、簡単かつ確実に組立てることができる。
【００２１】
なお、図示実施形態の炊飯器は、図５に示すように蓋本体９を緩やかに膨らむ殻状とし、その外周縁部分を厚肉に形成するとともに、その肉厚の範囲で水平方向の係合孔24を内周面に形成している。また、蓋リング８は、外周部分に立ち上がり部8Cを設け、立ち上がり部8cの上端に外鍔25を形成し、外鍔25の外周縁に爪23，23を突出させている。また、蓋３の形状は、蓋を閉じたときに、蓋リング８の一部が本体１の肩体６に形成した窪みに入り込み、蓋リング８に形成した外鍔25の底面が、本体１の上端縁に支受されるようにしている。したがって、蓋３は、本体１の上面に僅かに膨らむ態様に形成されるとともに、背面部に従来の炊飯器のようにヒンジカバーがなく、全体として蓋及び蓋のヒンジ構造が目立たない意匠の炊飯器として纏められている。
【図面の簡単な説明】
【００２２】
【図１】本発明に係る構造を採用した炊飯器全体の縦断面図、
【図２】図１に示す炊飯器であって、蓋本体を取り除いた状態の背部のみの斜視図、
【図３】図１に示す炊飯器の背部のみの斜視図、
【図４】図１に示す炊飯器の中央縦断面図、
【図５】図４の上隅部分の拡大断面図、
【図６】蓋リングのみの底面図、
【図７】ヒンジ構造の支持金具のみの斜視図、
【図８】蓋本体のみの底面図。
【符号の説明】
【００２３】
１…本体、  ２…釜、  ３…蓋、  ４…胴、  ５…底、  ６…肩体、  ７…釜収容部、  ８…蓋リング、  8a，8b…ヒンジ軸支持部、  8c…立ち上がり部、  ９…蓋本体、  10…蒸気通路、  11…蓋ヒータ、  12…加熱板、  13…放熱板、  14…パッキン、  15…凹部、  16…ヒンジ軸、  1７…支持金具、  18…ヒンジバネ、  19…カバー片、  20…ヒンジ軸支持片、  21…主体部、  22…底面部、  23…爪、  24…係合孔、  25…外鍔。
【図１】
2005143667.tif 000003
【図２】
2005143667.tif 000004
【図３】
2005143667.tif 000005
【図４】
2005143667.tif 000006
【図５】
2005143667.tif 000007
【図６】
2005143667.tif 000008
【図７】
2005143667.tif 000009
【図８】
2005143667.tif 000010